(57)【特許請求の範囲】
【請求項１】
建物の天井に形成された開口部に設けられる点検口構造であって、
前記開口部に取り付けられ、断面がほぼ逆Ｔ字状で、天井仕上げ材に当接される下端外側張り出し部を有するとともに平面形状が矩形の枠体を備え、
この枠体には、立ち上がり壁の上端近傍において長孔と、この立ち上がり壁の上端の開口部内側に僅かに突出する張り出し部において貫通孔と、が互いに近接して設けられ、
前記枠体に係合する支持部材を備え、
前記支持部材は、前記張り出し部に形成された貫通孔に差し込まれる下向きの一端折り曲げ部と、この下向きの一端折り曲げ部の先端に僅かに折り曲げられ前記立ち上がり壁の上端近傍に形成された長孔に引っ掛かる引っ掛かり部と、前記下向きの一端折り曲げ部の上端に繋がり前記枠体の前記下端外側張り出し部に下面が当接する天井仕上げ材を下向きに押し付ける下向きの他端折り曲げ部と、を備えるように線状体により形成され、
前記一端折り曲げ部が貫通孔に差し込まれて前記引っ掛かり部が前記長孔に引っ掛かっている状態では、前記一端折り曲げ部が前記枠体の短手方向から長手方向に傾いていることによって、この支持部材を回転させることにより他端折り曲げ部の先端で前記天井仕上げ材を枠体の下端外側張り出し部に押し付けるようにしたことを特徴とした点検口構造。
【請求項２】
建物の壁に形成された開口部に設けられる点検口構造であって、
前記開口部に取り付けられ、断面がほぼ横向きＴ字状で、枠ボード材に当接される板部内側張り出し部を有するとともに正面形状がＴ字の上部板部で形成された矩形の枠体を備え、
この枠体には、前記板部の中央から立ち上がる立ち上がり壁の端部近傍において長孔と、この立ち上がり壁の端部の開口部外側に僅かに突出する張り出し部において貫通孔と、が夫々互いに近接して設けられ、
前記枠体に係合する支持部材を備え、
前記支持部材は、前記張り出し部に形成された貫通孔に差し込まれる横向きの一端折り曲げ部と、この横向きの一端折り曲げ部の一端部に僅かに折り曲げられ前記立ち上がり壁の端部近傍に形成された長孔に引っ掛かる引っ掛かり部と、前記横向きの一端折り曲げ部の他端部に繋がり前記枠体の前記板部内側張り出し部に表面が当接する枠ボード材を水平方向に押し付ける水平方向に向いた他端折り曲げ部と、を備えるように線状体により形成され、
前記一端折り曲げ部が貫通孔に差し込まれて前記引っ掛かり部が前記長孔に引っ掛かっている状態では、前記一端折り曲げ部が前記枠体の短手方向から長手方向に傾いていることによって、この支持部材を回転させることにより他端折り曲げ部の先端で前記枠ボード材を枠体の前記板部内側張り出し部に押し付けるようにしたことを特徴とした点検口構造。
【発明の詳細な説明】
【技術分野】
【０００１】
本発明は、建物の天井や壁などに設けられる点検口構造に関する。
【背景技術】
【０００２】
建物の天井などに設置される点検口構造が特許文献１に記載されている。特許文献１の点検口構造は、内枠の周囲側壁部から内枠の内側に張り出す板部上に載置される蓋体を備えている。該蓋体は内枠の少なくとも１組の対向側辺において押さえ手段によって内枠に押し付けられている。この押さえ手段は、内枠の周囲側壁に設置される板体と、この板体に支持され蓋体を内枠の板部側に押し付ける支持部材とを備える。板体は、内枠の上端外側のフランジ部に上端が係合した状態で内枠の周囲側壁外面に設置される。支持部材は、この板体に鉛直線に対して傾斜した状態で支持される一端折り曲げ部と、蓋体を内枠の板部側に押し付ける他端折り曲げ部とを備える。支持部材を一端折り曲げ部を中心として回動させると、円弧状に移動する他端折り曲げ部の先端が蓋体に当接して蓋体を内枠の板部側に押し付ける。
【先行技術文献】
【特許文献】
【０００３】
【特許文献１】特開２００１−１０７５５１号公報
【発明の概要】
【発明が解決しようとする課題】
【０００４】
特許文献１に記載の点検口構造では、押さえ手段が内枠の周囲側壁部の外面に当接する板部と、線状体からなる支持部材との２つの部品からなるので、押さえ手段の製作コストが嵩むという問題がある。
【０００５】
本発明の目的は、このような課題を解決するもので、押さえ手段の製作コストを抑えた点検口構造を提供することである。
【課題を解決するための手段】
【０００６】
この課題を解決するために本発明は、建物の天井に形成された開口部に設けられる点検口構造であって、
前記開口部に取り付けられ、断面がほぼ逆Ｔ字状で、天井仕上げ材に当接される下端外側張り出し部を有するとともに平面形状が矩形の枠体を備え、
この枠体には、立ち上がり壁の上端近傍において長孔と、この立ち上がり壁の上端の開口部内側に僅かに突出する張り出し部において貫通孔と、が互いに近接して設けられ、
前記枠体に係合する支持部材を備え、
前記支持部材は、前記張り出し部に形成された貫通孔に差し込まれる下向きの一端折り曲げ部と、この下向きの一端折り曲げ部の先端に僅かに折り曲げられ前記立ち上がり壁の上端近傍に形成された長孔に引っ掛かる引っ掛かり部と、前記下向きの一端折り曲げ部の上端に繋がり前記枠体の前記下端外側張り出し部に下面が当接する天井仕上げ材を下向きに押し付ける下向きの他端折り曲げ部と、を備えるように線状体により形成され、
前記一端折り曲げ部が貫通孔に差し込まれて前記引っ掛かり部が前記長孔に引っ掛かっている状態では、前記一端折り曲げ部が前記枠体の短手方向から長手方向に傾いていることによって、この支持部材を回転させることにより他端折り曲げ部の先端で前記天井仕上げ材を枠体の下端外側張り出し部に押し付けるようにしたものである。
また、本発明は、建物の壁に形成された開口部に設けられる点検口構造であって、
前記開口部に取り付けられ、断面がほぼ横向きＴ字状で、枠ボード材に当接される板部内側張り出し部を有するとともに正面形状がＴ字の上部板部で形成された矩形の枠体を備え、
この枠体には、前記板部の中央から立ち上がる立ち上がり壁の端部近傍において長孔と、この立ち上がり壁の端部の開口部外側に僅かに突出する張り出し部において貫通孔と、が夫々互いに近接して設けられ、
前記枠体に係合する支持部材を備え、
前記支持部材は、前記張り出し部に形成された貫通孔に差し込まれる横向きの一端折り曲げ部と、この横向きの一端折り曲げ部の一端部に僅かに折り曲げられ前記立ち上がり壁の端部近傍に形成された長孔に引っ掛かる引っ掛かり部と、前記横向きの一端折り曲げ部の他端部に繋がり前記枠体の前記板部内側張り出し部に表面が当接する枠ボード材を水平方向に押し付ける水平方向に向いた他端折り曲げ部と、を備えるように線状体により形成され、
前記一端折り曲げ部が貫通孔に差し込まれて前記引っ掛かり部が前記長孔に引っ掛かっている状態では、前記一端折り曲げ部が前記枠体の短手方向から長手方向に傾いていることによって、この支持部材を回転させることにより他端折り曲げ部の先端で前記枠ボード材を枠体の前記板部内側張り出し部に押し付けるようにしたものである。
【発明の効果】
【０００７】
請求項１記載の発明によれば、支持部材を一端折り曲げ部と引っ掛かり部と他端折り曲げ部とを備えた線状体とすることができ支持部材の製作コストを抑えた点検口構造とすることができる。
【図面の簡単な説明】
【０００８】
【図１】第１の実施の形態に係る天井点検口が設置された状態の断面図である。
【図２】支持部材が枠体に取り付けられた状態の拡大断面図である。
【図３】支持部材の正面図である。
【図４】支持部材の平面図である。
【図５】支持部材の取り付け状態を示す正面図である。
【図６】支持部材が枠体に係合した状態の拡大断面図である。
【図７】第２の実施の形態に係る壁点検口が設置された状態の断面図である。
【図８】支持部材が枠体に取り付けられた状態の拡大断面図である。
【発明を実施するための形態】
【０００９】
以下、本発明の第１の実施の形態について図１〜図６に基づいて説明する。天井点検口１は建物の天井に形成された開口部３に取り付けられ、枠体２と、枠体２に載置される枠ボード材９と、枠体２に係合し野縁受け１５を押圧する支持部材１２とを備える。枠体２はアルミの押し出し材で形成され、室内側から開口部３を見たときの形状が額縁状の正方形である。枠体２の横断面は、ほぼ逆Ｔ字状に形成されており、上下方向に形成される立ち上がり壁４の下端には、開口部３の内方および外方に張り出す板部５，６が設けられ、立ち上がり壁４の上端には、立ち上がり壁４の内方および外方に僅かに突出する張り出し部７が設けられる。
【００１０】
枠ボード材９は、枠体２の下端内方に張り出す板部５の上面８側に載置される。立ち上がり壁４の上端近傍には、従来枠体２を開口部３の外側周縁部にビス止めするための長孔１０が複数設けられている。長孔１０は、水平方向である立ち上がり壁４の長手方向に沿って細長に形成される。さらに、長孔１０の上方であって張り出し部７の内方に突出した部分には、支持部材１２が挿通される貫通孔１１が設けられる。貫通孔１１は、たとえばパンチングで打ち抜かれ、立ち上がり壁４に沿った上下方向に形成される。
【００１１】
支持部材１２は線状の金属で形成され、上下方向に直線状に形成され貫通孔１１に挿通される一端折り曲げ部１３と、この一端折り曲げ部１３の下端に略直角に向きを変えた状態で連設され、長孔１０に係合する引っ掛かり部１４と、一端折り曲げ部１３の上端に繋がり野縁受け１５を押圧する他端折り曲げ部１６とを備える。引っ掛かり部１４は、一端折り曲げ部１３を中心に回動したとき、長孔１０の周縁部に接触することなく長孔１０に収容可能な長さとされる。他端折り曲げ部１６は、接続部１９を介して一端折り曲げ部１３と繋がっており、略上下方向に向いた直線状である。
【００１２】
図５は、支持部材１２の回動に伴って他端折り曲げ部１６の下端部１７の高さが変化する様子を示す正面図である。一端折り曲げ部１３が貫通孔１１に挿通され、引っ掛かり部１４が長孔１０に係合した状態では、一端折り曲げ部１３が上下方向から枠体２の長手方向に傾き角Ａだけ傾いている。本実施の形態では、傾き角Ａは略１５°とされる。支持部材１２が一端折り曲げ部１３を中心に回動すると、他端折り曲げ部１６の下端部１７は水平面から枠体２の長手方向に略１５°傾いた平面上で円弧状に移動する。野縁受け１５の上面が２５ａに示すように高い位置にある場合には、支持部材は１２ａの位置で下端部１７が野縁受け１５の上面２５ａに当接し、野縁受け１５の上面が２５ｂのように低い位置にある場合には、支持部材は１２ｂの位置で下端部１７が上面２５ｂに当接する。使用者は、このように支持部材１２を野縁受け１５の高さに応じた位置まで回動させて、下端部１７を野縁受け１５の上面２５ａ，２５ｂに当接させる。これによって枠体２の開口部３の外方に張り出す板部６を天井仕上げ材１８に押し付けて、枠体２を開口部３に固定することができる。
【００１３】
なお、傾き角Ａは１５°に限定するものではない。傾き角Ａを小さくすると支持部材１２の下端部１７を野縁受け１５の上面２５ａ，２５ｂに当接させる力を調整し易くなり、傾き角Ａを大きくすると、野縁受け１５の高さが異なる複数の天井点検口１に用いることができ、部品点数を削減することができる。
【００１４】
図６は、支持部材１２の一端折り曲げ部１３と引っ掛かり部１４とが各々貫通孔１１と長孔１０とに係合した状態の拡大断面図である。他端折り曲げ部１６の下端部１７が野縁受け１５に当接している状態では、一端折り曲げ部１３の外面２０が貫通孔１１の内面２１に当接し、一端折り曲げ部１３の外面２２が長孔１０の周縁部２３に圧接している。さらに引っ掛かり部１４が長孔１０に係合している。これによって外部から支持部材１２に力が加わった場合に、支持部材１２が枠体２から脱落することを防止している。
【００１５】
このように支持部材１２を一端折り曲げ部１３と引っ掛かり部１４と他端折り曲げ部１６とを備えた金属製の線状体とするとともに、枠体２に形成されている既存の長孔１０を利用して支持部材１２を取り付けることができるので天井点検口１の製作コストを削減することができる。
【００１６】
ここで天井点検口１の取り付け手順について説明する。支持部材１２を貫通孔１１に挿通させて、支持部材１２の引っ掛かり部１４を長孔１０に収容する。次に一端折り曲げ部１３を中心として支持部材１２を回動させて他端折り曲げ部１６を下げて行き、他端折り曲げ部１６の下端部１７を野縁受け１５の上面２５に当接させる。下端部１７が野縁受け１５の上面２５に当接した状態となると、枠体２の開口部３外方に張り出す板部６は天井仕上げ材１８に押し付けられ、枠体２を開口部３に固定される。
【００１７】
枠体２に取り付けた複数の支持部材１２を順時固定して枠体２を開口部３に設置した後に、枠ボード材９を枠体２の下端内方に張り出す板部５上面８に載置する。このようにして天井点検口１が取り付けられる。
【００１８】
次に本発明の第２の実施の形態について図７，図８に基づいて説明する。第１の実施形態の説明と重複する部分については説明を省略する。本実施の形態は、壁点検口３１に係るものである。枠体３２は、壁に形成され水平方向に臨んだ開口部３３に取り付けられる。枠体３２は、横断面が略横向きＴ字状であり、室内側から開口部３３側を見たとき開口部３３の内方および外方に張り出すＴ字の上部板部３５，３６で矩形の額縁が形成されており、開口部３３の外方に張り出す板部３６が開口部３３の周縁部にビス止めされる。Ｔ字の縦方向の板部を形成する立ち上がり壁３４の端部には、立ち上がり壁３４の内方および外方に僅かに突出する張り出し部３７が設けられる。立ち上がり壁３４の端部近傍には長孔４０が設けられ、長孔４０の奥側であって張り出し部３７の外方に突出した部分に貫通孔４１が設けられる。貫通孔４１は、立ち上がり壁３４に沿って水平方向に形成される。
【００１９】
枠体３２に係合した支持部材１２は、枠ボード材９の上面に当接して枠ボード材９を板部３５の上面３８に押し付けて固定する。このように支持部材１２を用いて枠ボード材９を枠体３２に固定する場合には、貫通孔４１が張り出し部３７の外方に突出した部分に設けられるが、第１の実施の形態で説明した枠体２の各辺を内外逆向きにして、板部５が外方に張り出し板部６が内方に張り出した状態で枠体３２を形成することによって、同一の部材から天井点検口１の枠体２と壁点検口３１の枠体３２とを形成することができる。
【００２０】
このように、建物の天井に形成された開口部３に設けられる点検口構造であって、開口部３に取り付けられ断面がほぼ逆Ｔ字状で、平面形状が矩形の枠体２を備え、この枠体２には立ち上がり壁４の上端近傍及びこの立ち上がり壁４の上端の開口部内側に僅かに突出する張り出し部７に夫々互いに近接して支持部材取り付け用孔部１０，１１を設け、支持部材１２は張り出し部７に形成された支持部材取り付け用孔部である貫通孔１１に差し込まれる下向きの一端折り曲げ部１３及びこの下向きの一端折り曲げ部１３の先端に僅かに折り曲げられ立ち上がり壁４の上端近傍に形成された支持部材取り付け用孔部である長孔１０に引っ掛かる引っ掛かり部１４及び、下向きの一端折り曲げ部１３の上端に繋がり枠体２の下端外側張り出し部である板部６に下面が当接する天井仕上げ材１８を下向きに押し付ける下向きの他端折り曲げ部１６とを備えるように線状体により形成され、この支持部材１２を回転させることにより他端折り曲げ部１６の先端で天井仕上げ材１８を枠体２の板部６に押し付けるようにしたので、支持部材１２を一端折り曲げ部１３と引っ掛かり部１４と他端折り曲げ部１６とを備えた線状体とすることができ支持部材１２の製作コストを抑えた天井点検口構造とすることができる。
【００２１】
さらに、建物の壁に形成された開口部３３に設けられる点検口構造であって、開口部３３に取り付けられ、断面がほぼ横向きＴ字状で、正面形状がＴ字の上部板部で形成された矩形の枠体３２を備え、この枠体３２には板部の中央から立ち上がる立ち上がり壁３４の端部近傍及びこの立ち上がり壁３４の端部の開口部外側に僅かに突出する張り出し部３７に夫々互いに近接して支持部材取り付け用孔部４０，４１を設け、支持部材１２は張り出し部３７に形成された支持部材取り付け用孔部である貫通孔４１に差し込まれる横向きの一端折り曲げ部１３及びこの横向きの一端折り曲げ部１３の一端部に僅かに折り曲げられ立ち上がり壁３４の端部近傍に形成された支持部材取り付け用孔部である長孔４０に引っ掛かる引っ掛かり部１４及び、横向きの一端折り曲げ部１３の他端部に繋がり枠体３２の板部内側張り出し部である板部３５に表面が当接する枠ボード材９を水平方向に押し付ける水平方向に向いた他端折り曲げ部１６とを備えるように線状体により形成され、この支持部材１２を回転させることにより他端折り曲げ部１６の先端で枠ボード材９を枠体３２の板部３５に押し付けるようにしたので、支持部材１２を一端折り曲げ部１３と引っ掛かり部１４と他端折り曲げ部１６とを備えた線状体とすることができ支持部材１２の製作コストを抑えた壁点検口構造とすることができる。
【符号の説明】
【００２２】
１    天井点検口
２，３２    枠体
３，３３    開口部
４，３４    立ち上がり壁
５，６，３５，３６    板部
７，３７    張り出し部
８，２４，２５，３８    上面
９    枠ボード材
１０，４０    長孔
１１，４１    貫通孔
１２    支持部材
１３    一端折り曲げ部
１４    引っ掛かり部
１５    野縁受け
１６    他端折り曲げ部
１７    下端部
１８    天井仕上げ材
１９    接続部
２０，２２    外面
２１    内面
２３    周縁部
３１    壁点検口
【図１】
0005686610.tif 000002
【図２】
0005686610.tif 000003
【図３】
0005686610.tif 000004
【図４】
0005686610.tif 000005
【図５】
0005686610.tif 000006
【図６】
0005686610.tif 000007
【図７】
0005686610.tif 000008
【図８】
0005686610.tif 000009